(57)【特許請求の範囲】
【請求項１】
吹き出し口を備える筐体と、
前記吹き出し口の上方に配置されたクロスフローファンと、
前記クロスフローファンからの送風を前記吹き出し口に向かって案内するリアガイダと、
前記クロスフローファンを上から覆うように設けられた熱交換器と、を有し、
前記筐体が、前記クロスフローファンの回転中心線延在方向の前記熱交換器の一端を支持する第１の支持部と、前記熱交換器の他端を支持する第２の支持部とを含み、
前記第１の支持部が、
通常姿勢の前記熱交換器の一端を支持可能に、且つ、前記熱交換器の前側下端と前記リアガイダの吹き出し口側端との間の距離が前記通常姿勢での距離に比べて拡大した傾き姿勢の前記熱交換器の一端を支持可能に構成され、
前記傾き姿勢の熱交換器における一端は、前記通常姿勢の熱交換器における一端に比べて、斜め上前方に位置する、空気調和機。
【請求項２】
前記熱交換器の他端が、前記空気調和機の前後方向に延在する揺動中心線を中心にして上下に揺動可能に、且つ、前記空気調和機の上下方向に延在する揺動中心線を中心にして前後に揺動可能に、第２の支持部に支持されている、請求項１に記載の空気調和機。
【請求項３】
前記熱交換器は、前記一端として第１のエンドプレートを備えるともに、前記他端として第２のエンドプレートを含み、
前記第１のエンドプレートが、前側下端と後側下端とを含む逆Ｖ字状または逆Ｕ字状の形状を備え、
前記第１の支持部の第１の載置位置に、前記第１のエンドプレートにおける前記前側下端と前記後側下端との間の部分が載置され、
前記第１の載置位置に比べて前方に位置する前記第１の支持部の第２の載置位置に、前記第１のエンドプレートにおける前記後側下端が載置される、請求項１または２に記載の空気調和機。
【請求項４】
前記クロスフローファンの一端に取り付けられる軸受を、有し、
前記軸受が、前記通常姿勢の熱交換器における第１のエンドプレートと前記第１の支持部とに挟まれた状態で保持される、請求項３に記載の空気調和機。
【請求項５】
前記筐体がドレンパンを含み、
前記第１および第２の支持部が、前記ドレンパンの両端それぞれに設けられている、請求項１から４のいずれか一項に記載の空気調和機。
【発明の詳細な説明】
【技術分野】
【０００１】
本発明は、空気調和機に関する。
【背景技術】
【０００２】
特許文献１には、クロスフローファンと、クロスフローファンからの送風を吹き出し口に向かって案内するリアガイダと、クロスフローファンを上から覆う熱交換器とを備える空気調和機が開示されている。
【先行技術文献】
【特許文献】
【０００３】
【特許文献１】特開２０１９−１６８２１０号公報
【発明の概要】
【発明が解決しようとする課題】
【０００４】
しかしながら、クロスフローファンが故障するなどして空気調和機から取り出す必要がある場合、特許文献１の空気調和機では、そのクロスフローファンを容易に取り出すことができない。具体的には、熱交換器とリアガイダの吹き出し口側端との間の距離がクロスフローファンの直径に比べて小さいために、熱交換器とリアガイダとの間からクロスフローファンを取り出すことができない。
【０００５】
その対処として、空気調和機の筐体から熱交換器を完全に取り外すことが考えられる。しかし、熱交換器は、圧縮機から延びる冷媒配管と接続しているとともに、内部に冷媒を蓄えている。そのため、熱交換器を空気調和機から容易に且つ短時間で取り外すことができない。
【０００６】
そこで、本発明は、熱交換器とリアガイダの吹き出し口側端との間の距離がクロスフローファンの直径に比べて小さい空気調和機において、クロスフローファンの取り出しを容易にすることを課題とする。
【課題を解決するための手段】
【０００７】
上述の課題を解決するために、本発明の一態様によれば、
吹き出し口を備える筐体と、
前記吹き出し口の上方に配置されたクロスフローファンと、
前記クロスフローファンからの送風を前記吹き出し口に向かって案内するリアガイダと、
前記クロスフローファンを上から覆うように設けられた熱交換器と、を有し、
前記筐体が、前記クロスフローファンの回転中心線延在方向の前記熱交換器の一端を支持する第１の支持部と、前記熱交換器の他端を支持する第２の支持部とを含み、
前記第１の支持部が、
通常姿勢の前記熱交換器の一端を支持可能に、且つ、前記熱交換器の前側下端と前記リアガイダの吹き出し口側端との間の距離が前記通常姿勢での距離に比べて拡大した傾き姿勢の前記熱交換器の一端を支持可能に構成されている、空気調和機が提供される。
【発明の効果】
【０００８】
本発明によれば、熱交換器とリアガイドの吹き出し口側端との間の距離がクロスフローファンの直径に比べて小さい空気調和機において、クロスフローファンを容易に取り出すことができる。
【図面の簡単な説明】
【０００９】
【図１】本発明の一実施の形態に係る空気調和機を右側から見た概略的な断面図
【図２】空気調和機の一部の斜視図
【図３】空気調和機の一部の分解斜視図
【図４Ａ】クロスフローファンの支持を説明するための分解斜視図
【図４Ｂ】図４Ａと視点が異なる、クロスフローファンの支持を説明するための分解斜視図
【図５Ａ】筐体の第１の支持部が熱交換器の第１のエンドプレートを支持する前の状態を示す斜視図
【図５Ｂ】筐体の第１の支持部が熱交換器の第１のエンドプレートを支持している状態を示す斜視図
【図６】第１のエンドプレートの内側面を示す斜視図
【図７Ａ】筐体の第２の支持部が熱交換器の第２のエンドプレートを支持する前の状態を示す斜視図
【図７Ｂ】筐体の第２の支持部が熱交換器の第２のエンドプレートを支持している状態を示す斜視図
【図８Ａ】熱交換器が通常姿勢であるときの第１の支持部に対する第１のエンドプレートの位置を示す図
【図８Ｂ】熱交換器が傾き姿勢であるときの第１の支持部に対する第１のエンドプレートの位置を示す図
【図９】熱交換器が傾き姿勢であるときの空気調和機を左側から見た概略的な断面図
【発明を実施するための形態】
【００１０】
本発明の一態様の空気調和機は、吹き出し口を備える筐体と、前記吹き出し口の上方に配置されたクロスフローファンと、前記クロスフローファンからの送風を前記吹き出し口に向かって案内するリアガイダと、前記クロスフローファンを上から覆うように設けられた熱交換器と、を有し、前記筐体が、前記クロスフローファンの回転中心線延在方向の前記熱交換器の一端を支持する第１の支持部と、前記熱交換器の他端を支持する第２の支持部とを含み、前記第１の支持部が、通常姿勢の前記熱交換器の一端を支持可能に、且つ、前記熱交換器の前側下端と前記リアガイダの吹き出し口側端との間の距離が前記通常姿勢での距離に比べて拡大した傾き姿勢の前記熱交換器の一端を支持可能に構成されている。
【００１１】
このような態様によれば、熱交換器とリアガイドの吹き出し口側端との間の距離がクロスフローファンの直径に比べて小さい空気調和機において、クロスフローファンを容易に取り出すことができる。
【００１２】
例えば、前記傾き姿勢の熱交換器における一端は、前記通常姿勢の熱交換器における一端に比べて、斜め上前方に位置してもよい。
【００１３】
例えば、前記熱交換器の他端が、前記空気調和機の前後方向に延在する揺動中心線を中心にして上下に揺動可能に、且つ、前記空気調和機の上下方向に延在する揺動中心線を中心にして前後に揺動可能に、第２の支持部に支持されてもよい。これにより、熱交換器が傾き姿勢をとりやすくなる。
【００１４】
例えば、前記熱交換器は、前記一端として第１のエンドプレートを備えるともに、前記他端として第２のエンドプレートを含み、前記第１のエンドプレートが、前側下端と後側下端とを含む逆Ｖ字状または逆Ｕ字状の形状を備え、前記第１の支持部の第１の載置位置に、前記第１のエンドプレートにおける前記前側下端と前記後側下端との間の部分が載置され、前記第１の載置に比べて前方に位置する前記第１の支持部の第２の載置位置に、前記第１のエンドプレートにおける前記後側下端が載置されてもよい。
【００１５】
例えば、前記空気調和機が、前記クロスフローファンの一端に取り付けられる軸受を有し、前記軸受が、前記通常姿勢の熱交換器における第１のエンドプレートと前記第１の支持部とに挟まれた状態で保持されてもよい。これにより、第１のエンドプレートが移動すると、クロスフローファンが取り外し可能になる。
【００１６】
例えば、前記筐体がドレンパンを含み、前記第１および第２の支持部が、前記ドレンパンの両端それぞれに設けられてもよい。
【００１７】
以下、本発明の実施の形態について、図面を参照しながら説明する。
【００１８】
図１は、本発明の一実施の形態に係る空気調和機を右側から見た概略的な断面図である。
【００１９】
図１に示すように、本実施の形態に係る空気調和機１０は、例えば室内の壁面Wに取り付けられた状態で使用される。空気調和機１０は、筐体１２と、その筐体１２内に配置されたクロスフローファン１４、リアガイダ１６、および熱交換器１８とを有する。
【００２０】
空気調和機１０の筐体１２には、室内空気を内部に取り込むための取り込み口１２ａと、取り込んだ空気を室内に吹き出すための吹き出し口１２ｂとが設けられている。本実施の形態の場合、取り込み口１２ａは筐体１２の上部に設けられ、吹き出し口１２ｂは筐体１２の下部に設けられている。
【００２１】
また、筐体１２は、その筐体１２の前側部分を構成するフロントカバー２０と、フロントカバー２０を着脱可能に支持し、壁面Ｗに取り付けられるベース２２とを含んでいる。
【００２２】
クロスフローファン１４は、その回転中心線Ｃの延在方向が空気調和機１０の左右方向（図１の奥行方向）に対して平行になるように、筐体１２内に設けられている。また、吹き出し口１２ｂの上方にクロスフローファン１４は配置されている。
【００２３】
リアガイダ１６は、筐体１２のベース２２の一部分であって、クロスフローファン１４の後方から吹き出し口１２ｂに向かって延在するベース２２の壁面である。このリアガイダ１６は、クロスフローファン１４からの送風を吹き出し口１２ｂに向かって案内する役割をする。
【００２４】
熱交換器１８は、取り込み口１２ａを介して筐体１２内に取り込まれた空気と熱交換し、それにより空気を温めるまたは冷やすように構成されている。
【００２５】
また、熱交換器１８は、クロスフローファン１４の回転中心線Ｃの延在方向（空気調和機１０の左右方向）視で、クロスフローファン１４を上から覆うように設けられている。具体的には、本実施の形態の場合、熱交換器１８は、前側下端１８ａと後側下端１８ｂとを含む実質的に逆Ｖ字状または逆Ｕ字状の形状を備える。これらの下端の間にクロスフローファン１４が配置される。そのような形状により、熱交換器１８は、リアガイダ１６と吹き出し口１２ｂとに対向する部分を除くクロスフローファン１４の部分を覆っている。なお、本実施の形態の場合、熱交換器１８は、その右側端で、圧縮機（図示せず）に対して冷媒配管（図示せず）を介して接続されている。
【００２６】
このような空気調和機１０によれば、クロスフローファン１４が回転することにより、取り込み口１２ａを介して筐体１２内に空気が取り込まれる。筐体１２内に取り込まれた空気は、熱交換器１８を通過して温められるまたは冷やされる。熱交換器１８を通過した空気は、クロスフローファン１４によって吹き出し口１２ｂに向かって送られる。
【００２７】
ここからは、本発明に関連するクロスフローファン１４、熱交換器１８、および関連する構成要素について詳細に説明する。
【００２８】
図２は、本発明の一実施の形態に係る空気調和機の一部の斜視図である。また、図３は、本発明の一実施の形態に係る空気調和機の一部の分解斜視図である。
【００２９】
図２および図３は、空気調和機１０の一部、すなわちクロスフローファン１４を取り外すためにフロントカバー２０などが取り外された状態の空気調和機１０を示している。
【００３０】
図２および図３に示すように、筐体１２のベース２２には、クロスフローファン１４を回転させるためのモータ２４が設けられている。本実施の形態の場合、モータ２４は、ベース２２の右側部分に設けられ、クロスフローファン１４の右端に着脱可能に接続する。
【００３１】
図４Ａおよび図４Ｂは、クロスフローファンの支持を説明するための分解斜視図である。なお、図４Ａおよび図４Ｂは、視点が異なる。
【００３２】
図４Ａおよび図４Ｂに示すように、クロスフローファン１４の右側端には、円筒状の連結部２６が設けられている。この連結部２６にモータ２４の回転軸２４ａが着脱可能に挿入される。具体的には、連結部２６には、この連結部２６に対してモータ２４の回転軸２４ａを固定するための固定ねじ２８が設けられている。このような構成により、クロスフローファン１４の右側端が、その回転中心線Ｃの延在方向（すなわち空気調和機１０の左右方向）に着脱可能に、筐体１２（すなわちベース２２に設けられたモータ２４）に対して取り付けられる。
【００３３】
一方、図４Ｂに示すように、クロスフローファン１４の左側端には、支持ピン３０が設けられている。この支持ピン３０は、軸受３２に回転可能に支持される。その軸受３２の外周面と係合して該軸受３２を支持する係合部２２ａが筐体１２のベース２２の左側部分に設けられている。具体的には、本実施の形態の場合、この係合部２２ａは、軸受３２の外周面の一部分と係合して支持する。なお、軸受３２の外周面の残りの部分の支持については後述する。
【００３４】
図２および図３に示すように、本実施の形態の場合、熱交換器１８は、その左側端として第１のエンドプレート３４を備えるとともに、右側端として第２のエンドプレート３６を備える。この第１のエンドプレート３４と第２のエンドプレート３６とにより、これらの間で空気調和機１０の左右方向に延在する複数の冷媒配管３８が支持されている。なお、これらの第１および第２のエンドプレート３４、３６の詳細については後述する。
【００３５】
また、熱交換器１８は、その左側端と右側端で、本実施の形態の場合には第１および第２のエンドプレート３４、３６を介して、ベース２２に支持される。そのために、熱交換器１８の左側端（第１のエンドプレート３４）を支持する第１の支持部４０と、熱交換器１８の右側端（第２のエンドプレート３６）を支持する第２の支持部４２とが、筐体１２に設けられている。
【００３６】
本実施の形態の場合、図３に示すように、熱交換器１８を両端で支持するための第１の支持部４０と第２の支持部４２は、筐体１２のベース２２に一体的に取り付けられたドレンパン４４に設けられている。
【００３７】
具体的には、ドレンパン４４は、図１に示すように、熱交換器１８の後側下端１８ｂの下方に配置されている。図３に示すように、このようなドレンパン４４の左側端に対して第１のエンドプレート３４を支持するための第１の支持部４０が設けられ、右側端に対して第２のエンドプレート３６を支持するための第２の支持部４２が設けられている。本実施の形態の場合、第１の支持部４０、第２の支持部４２、およびドレンパン４４は、樹脂成型によって一部品として作製されている。なお、ドレンパン４４とベース２２とが、樹脂成型によって一部品として作製されてもよい。
【００３８】
図５Ａは、筐体の第１の支持部が熱交換器の第１のエンドプレートを支持する前の状態を示す斜視図である。また、図５Ｂは、筐体の第１の支持部が熱交換器の第１のエンドプレートを支持している状態を示す斜視図である。
【００３９】
図５Ａおよび図５Ｂに示すように、第１のエンドプレート３４は、本実施の形態の場合、樹脂材料から作製された部材であって、熱交換器１８の形状に対応する形状、すなわち前側下端３４ａと後側下端３４ｂとを含んだ実質的に逆Ｖ字状または逆Ｕ字状の形状を備える。
【００４０】
このような第１のエンドプレート３４を支持する第１の支持部４０は、図５Ａに示すように、クロスフローファン１４の左側端を部分的に覆うカバー部４０ａの外周面に設けられた突起部４０ｂを備える。その突起部４０ｂの先端に第１のエンドプレート３４が載置される。この突起部４０ｂの先端と接触する第１のエンドプレート３４の部分３４ｃが、図６に示すように、第１のエンドプレート３４の内側面に設けられている。
【００４１】
図５Ｂに示すように、第１のエンドプレート３４が第１の支持部４０に載置されて支持されることにより、熱交換器１８の左側端が筐体１２に支持される。
【００４２】
なお、第１のエンドプレート３４は、ドレンパン４４の第１の支持部４０ではなく、ベース２２に固定ねじ（図示せず）によって固定される。その固定ねじが通過する複数の通し穴３４ｄ、３４ｅを第１のエンドプレート３４は備える。また、図３に示すように、第１のエンドプレート３４の通し穴３４ｄ、３４ｅを通過した固定ねじと係合するめねじ穴２２ｂ、２２ｃがベース２２に設けられている。
【００４３】
上述したように、本実施の形態の場合、クロスフローファン１４の支持ピン３０を回転可能に支持する軸受３２は、図４Ａに示すように、ベース２２の係合部２２ａに対してその外周面の一部分が係合する。軸受３２の外周面の残りの部分は、図５Ａに示す第１の支持部４０に設けられた係合部４０ｃと図６に示す第１のエンドプレート３４に設けられた係合部３４ｆとに対して係合する。すなわち、軸受３２は、ベース２２の係合部２２ａ、第１の支持部４０の係合部４０ｃ、および第１のエンドプレート３４の係合部３４ｆに挟まれた状態で保持されている。その結果、クロスフローファン１４は、第１のエンドプレート３４が移動して初めて、取り外し可能になる。
【００４４】
図７Ａは、筐体の第２の支持部が熱交換器の第２のエンドプレートを支持する前の状態を示す斜視図である。また、図７Ｂは、筐体の第２の支持部が熱交換器の第２のエンドプレートを支持している状態を示す斜視図である。
【００４５】
図７Ａおよび図７Ｂに示すように、第２のエンドプレート３６は、本実施の形態の場合、金属板から作製された部材であって、熱交換器１８の形状に対応する実質的に逆Ｖ字状または逆Ｕ字状の形状を備える。
【００４６】
このような第２のエンドプレート３６を支持する第２の支持部４２は、図７Ａに示すように、空気調和機１０の左右方向に対して直交する壁部４２ａの頂面であって、第２のエンドプレート３６が載置される載置面４２ｂを備える。また、第２の支持部４２は、壁部４２ａに対して空気調和機１０の左右方向に間隔をあけて対向するストッパ４２ｃを備える。壁部４２ａとストッパ４２ｃとの間に、第２のエンドプレート３６の一部が配置される。これにより、第２のエンドプレート３６は、空気調和機１０の左右方向に所定の範囲で移動可能に第２の支持部４２に載置されている。
【００４７】
また、第２の支持部４２の壁部４２ａに空気調和機１０の右方に向かって突出する係合爪４２ｄが設けられている。この係合爪４２ｄの上側部分には、右下に向かって傾斜する傾斜面が設けられている。この係合爪４２ｄと係合し、空気調和機１０の左右方向に貫通する係合穴３６ａが、第２のエンドプレート３６に設けられている。係合爪４２ｄと係合穴３６ａとが係合することにより、第２の支持部４２に対する第２のエンドプレート３６の上下方向の移動が制限される。なお、空気調和機１０の前後方向のサイズについて、係合穴３６ａは係合爪４２ｄに比べて大きい。これにより、第２のエンドプレート３６は、空気調和機１０の前後方向に所定の範囲で移動可能に第２の支持部４２に載置されている。
【００４８】
このような構成によれば、第２のエンドプレート３６は、不動の状態で第２の支持部４２に固定されてはない。具体的には、第２のエンドプレート３６は、空気調和機１０の前後方向に延在する揺動中心線を中心にして上下に揺動可能に、且つ、空気調和機１０の上下方向に延在する揺動中心線を中心にして前後に揺動可能に、第２の支持部４２に支持されている。このような支持を採用する理由については後述する。
【００４９】
これまでは、筐体１２、クロスフローファン１４、および熱交換器１８を中心に、本実施の形態に係る空気調和機１０の構成を説明してきた。ここからは、クロスフローファン１４の筐体１２からの取り外しについて説明する。
【００５０】
図１に示すように、クロスフローファン１４は、リアガイダ１６と熱交換器１８とによって囲まれている。また、熱交換器１８の前側下端１８ａとリアガイダ１６の吹き出し口１２ｂ側の端（吹き出し側端）との間の距離Ｄが、クロスフローファン１４の回転中心線Ｃの延在方向（すなわち図１の奥行方向）全体にわたって、クロスフローファン１４の直径φに比べて小さい。そのため、このように熱交換器１８が通常姿勢である場合、クロスフローファン１４を筐体１２から取り出すことができない。
【００５１】
また、熱交換器１８は、上述したように右側端で、圧縮機（図示せず）に対して冷媒配管（図示せず）を介して接続されている。さらに、熱交換器１８内には、冷媒液が蓄えられている。そのため、熱交換器１８を完全に筐体１２から短時間で取り外すことができない。
【００５２】
これらを考慮して、本実施の形態の空気調和機１０は、熱交換器１８の右側端を実質的に移動させることなく、熱交換器１８を傾いた姿勢で維持できるように構成されている。
【００５３】
図８Ａは、熱交換器が通常姿勢であるときの第１の支持部に対する第１のエンドプレートの位置を示す図である。図８Ｂは、熱交換器が傾き姿勢であるときの第１の支持部に対する第１のエンドプレートの位置を示す図である。なお、図８Ａは、図１、図２、および図５Ｂに対応する。
【００５４】
図８Ａは、例えば空気調和機１０が使用可能な状態であるときの第１のエンドプレート３４の位置（通常位置）を示している。この場合、上述したように、第１のエンドプレート３４は、前側下端３４ａと後側下端３４ｂとの間の部分３４ｃ（図６参照）で、第１の支持部４０の突起部４０ｂ上に載置されている（第１の載置位置）。また、第１のエンドプレート３４の後側下端３４ｂはドレンパン４４内に位置する。このとき、熱交換器１８は通常姿勢であって、図１に示すように、熱交換器１８の前側下端１８ａとリアガイダ１６の吹き出し口側端との間の距離Ｄが、クロスフローファン１４の回転中心線Ｃの延在方向全体にわたって、クロスフローファン１４の直径φに比べて小さい。
【００５５】
これに対して、図８Ｂは、例えば故障したクロスフローファン１４を取り出すときの第１のエンドプレート３４の位置（メンテナンス位置）を示している。この場合、第１のエンドプレート３４の後側下端３４ｂが、カバー部４０ａと突起部４０ｂとの間に挟持された状態で載置されている（第２の載置位置）。すなわち、第２の載置位置は、第１の載置位置に比べて前方に位置する。
【００５６】
図８Ａおよび図８Ｂに示すように、本実施の形態の場合、第１の支持部４０において、第１のエンドプレート３４の第１の載置位置と第２の載置位置は、互いに近い位置である。しかしながら、これら位置それぞれに配置される第１のエンドプレート３４の部分が異なる。その結果として、本実施の形態の場合、図８Ｂに示すように第２の載置位置に後側下端３４ｂを介して載置されている第１のエンドプレート３４は、図８Ａに示すように第１の載置位置に部分３４ｃを介して載置されている第１のエンドプレート３４に比べて、斜め上前方に位置する。したがって、熱交換器１８は、右側端に対して左側端が斜め上前方に位置するような傾き姿勢をとる。
【００５７】
なお、熱交換器１８がこのような傾き姿勢をとるとき、第２のエンドプレート３６が第２の支持部４２上で揺動するとともにわずかにたわむ。また、熱交換器１８全体もわずかにねじれる。それにより、熱交換器１８は、第２のエンドプレート３６が実質的に移動することなく、傾き姿勢を維持することができる。また、第２のエンドプレート３６が実質的に移動しないので、熱交換器１８の右側端に接続されている冷媒配管（図示せず）を取り外すことなく、熱交換器１８は傾き姿勢を維持することができる。
【００５８】
図９は、熱交換器が傾き姿勢であるときの空気調和機を左側から見た概略的な断面図である。
【００５９】
図９は、熱交換器１８が傾き姿勢であるときの、第１のエンドプレート３４に近い空気調和機１０の断面を示している。図９に示すように、熱交換器１８が傾き姿勢で維持されることにより、熱交換器１８の前側下端１８ａとリアガイダ１６の吹き出し口１２ｂ側の端（吹き出し側端）との間の距離Ｄが部分的にクロスフローファン１４の直径φに比べて大きい。すなわち、距離Ｄが、熱交換器１８の右側端（第２のエンドプレート３６）から左側端（第１のエンドプレート３４）に向かうにしたがって拡大し、クロスフローファン１４の直径φに比べて大きくなる。その結果、熱交換器１８の前側下端１８ａとリアガイダ１６の吹き出し口１２ｂ側の端（吹き出し側端）との間を介してクロスフローファン１４を取り出すことが可能になる。
【００６０】
クロスフローファン１４を作業者が取り出すときの作業手順を説明する。以下の作業は、フロントカバー２０などを取り外した状態で行われる。
【００６１】
まず、作業者は、熱交換器１８の第１のエンドプレート３４を筐体１２のベース２２から取り外す（第１のエンドプレート３４の通し穴３４ｄ、３４ｅを通過してベース２２のめねじ穴２２ｂ、２２ｃに係合する固定ねじ（図示せず）を取り外す）。
【００６２】
次に、作業者は、熱交換器１８を掴み、図８Ｂに示すように第１のエンドプレート３４の後側下端３４ｂを第１の支持部４０における突起部４０ｂとカバー部４０ａとの間に載置する。これにより、熱交換器１８は、作業者が手を放しても、傾き姿勢で維持される。また、軸受３２を筐体１２から取り外すことが可能になる。
【００６３】
続いて、作業者は、クロスフローファン１４とモータ２４との接続を解除する（固定ねじ２８を緩める）。これにより、クロスフローファン１４が取り外し可能な状態にされる。
【００６４】
そして、作業者は、軸受３２が取り付けられた状態のクロスフローファン１４の左側端を斜め下前方に移動させつつ、熱交換器１８の前側下端１８ａとリアガイダ１６の吹き出し口側端との間を通過させる。それと同時に、作業者は、クロスフローファン１４を左方に移動させる。それにより、クロスフローファン１４を筐体１２から取り外すことができる。
【００６５】
このような本実施の形態によれば、熱交換器１８とリアガイダ１６の吹き出し口側端との間の距離Ｄがクロスフローファン１４の直径に比べて小さい空気調和機１０において、クロスフローファン１４を容易に取り出すことができる。
【００６６】
具体的には、作業者が触れることなくまたは治具を必要とすることなく、熱交換器１８を傾き姿勢で維持することができる。そのため、作業者は、傾き姿勢の熱交換器１８とリアガイダ１６との間を介して、両手でクロスフローファン１４を筐体１２から取り出すことができる。
【００６７】
そうでない場合、作業者の一方の手で熱交換器１８を傾き姿勢で維持しつつ、他方の手でクロスフローファン１４を取り出す必要がある。あるいは、治具によって熱交換器１８を傾き姿勢で維持する必要がある。
【００６８】
以上、上述の実施の形態を挙げて本発明を説明したが、本発明は上述の実施の形態に限定されない。
【００６９】
例えば、上述の実施の形態の場合、クロスフローファン１４を取り外すとき、図１および図９に示すように、熱交換器１８の左側端は、斜め上前方に移動されて維持される。しかしながら、本発明の実施の形態はこれに限定されない。例えば、熱交換器１８の左側端は、上方向のみに移動されて維持されてもよい。
【００７０】
また、図８Ａおよび図８Ｂに示すように、熱交換器１８の第１のエンドプレート３４は、第１の支持部４０における相互に近い第１および第２の載置位置（突起部４０ｂの先端およびその突起部４０ｂとカバー部４０ａとの間の位置）に、相互に大きく離れた異なる部分（部分３４ｃおよび後側下端３４ｂ）が載置される。それにより、熱交換器１８が通常姿勢と傾き姿勢の両方をとることができる。しかしながら、本発明の実施の形態は、これに限らない。例えば、熱交換器１８の第１のエンドプレートは、第１の支持部における相互に大きく離れた第１および第２の載置位置に、相互に近いまたは同一部分が載置されてもよい。
【００７１】
すなわち、本発明は、広義には、吹き出し口を備える筐体と、前記吹き出し口の上方に配置されたクロスフローファンと、前記クロスフローファンからの送風を前記吹き出し口に向かって案内するリアガイダと、前記クロスフローファンを上から覆うように設けられた熱交換器と、を有し、前記筐体が、前記クロスフローファンの回転中心線延在方向の前記熱交換器の一端を支持する第１の支持部と、前記熱交換器の他端を支持する第２の支持部とを含み、前記第１の支持部が、通常姿勢の前記熱交換器の一端を支持可能に、且つ、前記熱交換器の前側下端と前記リアガイダの吹き出し口側端との間の距離が前記通常姿勢での距離に比べて拡大した傾き姿勢の前記熱交換器の一端を支持可能に構成されている、空気調和機である。
【産業上の利用可能性】
【００７２】
本発明は、熱交換器とリアガイダとによってクロスフローファンが囲まれている空気調和機に適用可能である。
【符号の説明】
【００７３】
１４    クロスフローファン
１６    リアガイダ
１８    熱交換器
１８ａ  前側下端
Ｄ      距離
【図１】
0006952264.tif 000002
【図２】
0006952264.tif 000003
【図３】
0006952264.tif 000004
【図４Ａ】
0006952264.tif 000005
【図４Ｂ】
0006952264.tif 000006
【図５Ａ】
0006952264.tif 000007
【図５Ｂ】
0006952264.tif 000008
【図６】
0006952264.tif 000009
【図７Ａ】
0006952264.tif 000010
【図７Ｂ】
0006952264.tif 000011
【図８Ａ】
0006952264.tif 000012
【図８Ｂ】
0006952264.tif 000013
【図９】
0006952264.tif 000014